(57)【特許請求の範囲】
【請求項１】
アンモニアセンサ１と人感センサ５と、
換気扇７と窓開閉装置２と窓３、
室内温度センサ１２と室外温度センサ６、
および、これらの制御をするマイクロプロセサ４よりなり、
人感センサ５、アンモニアセンサ１の信号が  共にオンになった時で、
トイレ内外の温度差が大であろうとの判断が、
室内温度センサ１２と室外温度センサ６からの信号により、マイクロプロセサ４にてなされる時、換気扇７を排気方向で運転し、空気の清浄化を図り、
トイレ内と外気の温度差が低いと、マイクロプロセサ４が判断する時には、窓開閉装置２が働き、窓３を開き、
人感センサ５はオフで、アンモニアセンサ１もオフの時、
換気扇７を停止する、または、窓３を閉じる、トイレシステム。
【発明の詳細な説明】
【０００１】
【産業上の利用分野】
本発明は、空調システムについてのものである。
【０００２】
【従来の技術】
当出願人による実開平７−１４０７３は、排気ガスの室内への流入を防止しつつ、室内空気の清浄化を低コストで実現せんとしたものである。
特開平５−１８７６８４、特開平５−１８７６９５は、それぞれ個性あふれるものであり、又、優れた指摘が  なされておる。
特開平５−３１２３７０は、地球環境保護を目的とし、アンモニアセンサを用いた先駆的出願の一つであろう。
【０００３】
【発明が解決しようとする課題】
トイレでは、換気扇が用いられていて、常時、排気がなされていたり、また、人感センサと連動して自動運転する換気扇もある。
前者では、トイレの匂いを大幅に除去できるが、電気代が  かさむことがある。
後者では、電気代は有効に低減できるが、匂いが残る可能性が大きい。
【０００４】
飲食店などでは、入口のドアの開閉と共に、冬期には寒風が、夏期には暖風が、どっと入りこみ、それに、温度センサを用いてのエアコンの制御が追随できず、入口近辺の客には、おもしろからざることがある。
【０００５】
【課題を解決するための手段】
第一の課題に対する手段は、アンモニアセンサ１と換気扇７と人感センサ５と、それらの制御をするマイクロプロセサ４から成るものである。この換気扇７は、人感センサ５の信号がオンになったときに動きはじめ、アンモニアセンサ１の信号がオフになると停止する。
【０００６】
第二の課題に対する手段は、ドア開閉スイッチ９と、それと連動する空気調和装置＜エアコン＞８と、両者の制御をするマイクロプロセサ４から成るものである。ドア開閉スイッチ９は、リミットスイッチ等から成る。
【０００７】
第一の課題に対する代替手段として、アンモニアセンサ１と、人感センサ５と室外温度センサ６と室内温度センサ１２と、窓開閉装置２と窓３、及び、これらの制御をするマイクロプロセサ４からなる自動窓システムを用いても良い。
窓開閉装置２はモータ等からなる。
【０００８】
【作用】
人がトイレに入室したならば、人感センサ５により、それは検出できる。すると、マイクロプロセサ４は、換気扇７へ、駆動指示を出す。人が用をすまして退出しても、人感センサの信号がオフになったとしても、尿、つまり、
アンモニアの雰囲気が残っているならば、それはアンモニアセンサ１で検出され、換気扇７は、動き続ける。
換気扇７が、しばらく動いて、アンモニア分が、トイレの室内で検出されなくなったら、もしくは、ひじょうに小さくなったら、アンモニアセンサ１につながるマイクロプロセサ４により、それが識別され、換気扇７へ停止の指示がゆく。
【０００９】
飲食店で、ドアが開くと、ドア開閉スイッチ９により、それが検出され、マイクロプロセサ４により、次ぎのような運転指示が、空気調和装置
＜エアコン＞８へ、伝えられる。
つまり、エアコン８が停止中なら、＜従前の＞運転が開始される。
暖房＜弱＞運転中なら、暖房＜強＞運転へ、変更指示が  なされる。冷房＜弱＞運転中なら、冷房＜強＞運転へ、変更指示が、エアコン８へ、なされる。マイクロプロセサ４の内蔵プログラムにより、これは可能である。エアコン８の空気吹きだし口は、同様のプログラミングにより、入口近辺の客席を指向するように制御される。したがって、入口近辺の客席は、温度の急変が緩和される。
【００１０】
エアコン８、ドア開閉スイッチ９、マイクロプロセサ４は、有線、又は、無線で接続可能である。一例を詳述すると、超音波あるいは電磁波を用いたリモートスイッチ＜遠隔操作装置＞が既に多用されているが、これとドア開閉スイッチ９を有線でつなぎ、ドア１０が開くと  その信号がリモートスイッチ１５を介して、エアコン８へ届くようにすればよい。この信号は、エアコン８側、もしくは、リモートスイッチ１５側に設けたマイクロプロセサ４により、前記のように解釈された後に、エアコン８へ届く。
【００１１】
トイレで人が用を  たす時、尿が便器の外に洩れると、いつまでも  匂いが残るかもしれない。この場合、換気扇を常時運転することになる。換気扇を運転する代わり、窓を開けた方が、むしろ、コストが低いことが  ある。
＜換気扇と違い、自動窓を開いて自然換気をする時には、窓開閉装置のモータの運転は、ほんの微小時間ですむ。＞前述の「代替手段」は、このケースに対応するものである。
【００１２】
人が便器を使用し、アンモニア分がトイレ内に生じると、特に、便器の外へ尿をこぼした時など、トイレ内のアンモニアが  アンモニアセンサ１により検出される。すると、マイクロプロセサ４は、自動窓３を「開」にする。つまり、窓３が閉じていれば、窓開閉装置２へ「開け窓」の指示を与え、窓３は開く。
窓３が既に開いていれば、その状態を保持させる。
トイレ内外の空気が入れ代わって、アンモニア分が薄れると、マイクロプロセサ４は「閉じよ窓」の信号を窓開閉装置２へ与え、自動窓３は閉じる。
【００１３】
【実施例】
春と秋など、室内温度センサ１２と室外温度センサ６からの信号により、トイレ内と外気の温度差が低いと、マイクロプロセサ４が判断する時、その指示により、窓開閉装置２が働き、トイレの窓３が開く。自然換気により、トイレ内の空気は清浄となる。
プライバシーの問題が無く、又、昼間など防犯上の問題の無いケースでは、この運用でよかろう。
【００１４】
防犯上、あるいは、プライバシーの問題の生じるケースでは、人感センサをトイレ内のみならず、トイレの窓の外にも設置し、人の気配が窓の外に感じられたら、マイクロプロセサ４は自動窓を開けず、換気扇７を運転する。
つまり、換気のための方法として、換気扇と自動窓を併用することが、総合的にみて、より完全であろう。
【００１５】
冬期においては、ことに夜間においては、トイレの内外の温度差が大であろうゆえ、＜この判断は、室内温度センサ１２と室外温度センサ６からの信号により、客観的にマイクロプロセサ４にてなされる＞、自動窓３を開けず、換気扇７を排気方向で運転し、空気の清浄化を図る。
【００１６】
なお、季節を問わず、人感センサにより、トイレの中に人がいないと判断されたならば、加えて、換気扇を一定時間＜一例として３分＞運転したにもかかわらず、トイレの匂いが残ると、アンモニアセンサ１からの信号により、マイクロプロセサ４が判断したならば、たとえば、男性便器の周辺に尿が  こぼれておる可能性が  有る。
便器の位置は固定しておるので、注水装置のノズルが  その方向を向くようにマイクロプロセサ４にプログラムし、トイレの側壁に設けた注水装置１３、あるいは、スプリンクラー１３を働かせ、注水により便器の周辺の尿を自動的に洗浄することもできる。このような、便器周辺の自動洗浄は、トイレの空気の匂いを元から取る、恒久的対策である。
【００１７】
＜段落番号０００９にて、エアコンの空気の方向制御を論じているが、それも、エアコンの空気吹きだし口、左右についての風向調節板、上下についての風向調節板を、エアコンの風が入りぐち近辺の客席へ指向するように、事前にマイクロプロセサ４にプログラムすることにより可能になっておるのである。＞
【００１８】
アンモニアセンサ１に代わって、尿の成分の分析により即した、尿検知センサを用いると、より良い効果が期待できる。なお、その分析にあたっては、
もちろん、マイクロプロセサ４を十分に援用できる。
【００１９】
なお、本システムに温風器１４をオンラインで接続し、トイレへ人が入室すると同時に、トイレの側壁に設けた温風機１４を働かせしめるようにすると、温度差により中風で、老人が倒れるのを防ぐことができる。
トイレへの人の入室は、人感センサ５により、又、トイレのドアに設けた、ドア開閉スイッチ９により、ほぼ確実にマイクロプロセサ４により識別せられ、特に、冬期において、温風機１４が稼動せられる。この温風機１４の稼動は、トイレ内の人が  いなくなったとマイクロプロセサ４が判断したならば、自動的にオフにされる。
なお、温風機を併設する場合には、暖房効率向上のために、又、中風防止のために、トイレに人が在室中、温風機を  まず運転し、退室の後、トイレ内の匂いを取るため、換気扇を動かす、又は、自動窓を開く  ように、マイクロプロセサ４のソフトウエアをプログラムするのもよかろう。
【００２０】
本システムは、ことに病院にて有効であろう。患者の中には、手を有効に使えぬ人も  おるので、換気扇、温風機の自動的なオン、オフはマイクロプロセサ４に  やらせるのが  よかろう。
もちろん、温風機１４に代えて、トイレの中へ、エアコン８を設置してもよい。
【００２１】
なお、前記の注水に  先だって、「今から便器周辺の注水を始めます。トイレ使用中の方は、１分以内に壁の注水中止スイッチを押して下さい」とゆうアナウンスを出すことができる。それには、このメッセージを半導体ＩＣに記憶させておいて再生してもよいし、テープレコーダを用いてもよい。同時に耳の悪い人のために、同様のメッセージを壁面に設置した電光掲示板もしくはコンピュータ端末へ表示し、点滅させる。
上記の音声出力装置１８や電光掲示板１７も、マイクロプロセサ４にて出力制御され、注水中止スイッチ１９が押されると、マイクロプロセサ４は注水を止める。
【００２２】
窓の自動開閉については、トイレが駐車場等に面していて、排気ガスの流入が予想される時は、排気ガスセンサ１６を窓の外に設置して、その情報を併用して、外気が排気ガスで臭い時は、窓３を開けず、換気扇７を排気方向で運転するのが良かろう。
【００２３】
なお、トイレのドアが自動ドアである時も、リミットスイッチ等を用いたドア開閉スイッチ９にて、ドアの開閉を判別できるが、自動ドアのドア開閉装置１１の開閉状態を直接、マイクロプロセサ４にて取得してもよい。
図１は上記の実施例の構成図である。
各構成部品は有線あるいは無線にて、マイクロプロセサ４へオンライン接続されている。
コストダウンのために、又、本システムの設置場所の状況に応じて、構成部品の  いずれかを除いても、運用上さしつかえは  あるまい。
図２は、この意味における本システムの最小構成である。
【００２４】
【発明の効果】
電気代のムダなく、トイレなどの空気を清浄にできる。
又、ドアの開閉にともなう室内の温度の急変に即応できる。
【図面の簡単な説明】
【図１】  本発明の実施例の構成図
【図２】  本発明の最小構成
【図３】本システムの最小構成の時の、マイクロプロセサ４の判断ロジックを表すフローチャートである。＜換気扇に代えて、自動窓を用いるときには、「換気扇をオン」は「窓を開く」に、「換気扇をオフ」は「窓を閉める」に、それぞれ対応する。＞
【符号の説明】
１はアンモニアセンサ
２は窓開閉装置
３は窓
４はマイクロプロセサ
５は人感センサ＜赤外線センサ。超音波センサ。もしくは、投光器と受光器よりなり、光の遮断で人を感知するセンサ＞
６は室外温度センサ
７は換気扇
８は空気調和装置＜エアコン＞
９はドア開閉スイッチ
１０はドア
１１はドア開閉装置＜モータ等からなる＞
１２は室内温度センサ
１３は注水装置もしくはスプリンクラー
１４は温風器
１５はリモートスイッチ
１６は排気ガスセンサ
１７は電光掲示板もしくはコンピュータ端末
１８は音声出力装置
１９は注水中止スイッチ
【図１】
0004403287.tif 000002
【図２】
0004403287.tif 000003
【図３】
0004403287.tif 000004